(57)【要約】【課題】金属ケースに設けられたアルマイト層を剥離した露呈面と外装部材との導電性を向上させる。【解決手段】外面にアルマイト層が設けられ、内面で回路基板の接地端子と電気的に接続された本体ケース７の両側面には凹部３０が設けられている。凹部３０には、アルマイト層の一部が剥離され、外面が露呈した露呈面３２が形成されている。導電性両面テープ３１には、露呈面３２の中心から放射状に切込み３５が形成されている。導電性両面テープ３１は切込み３５を露呈面３０に合わせ、露呈面３２に沿って導電性両面テープ３１を貼り付けた後、周囲のアルマイト層にも貼り付ける。そして、横カバー９を凹部３０に嵌め込み、導電性両面テープ３１で横カバー９を本体ケース７に固定すると、横カバー９と露呈面３２とは導電性両面テープ３１を介して導通する。【選択図】図１
2008134349.tif 000002
【特許請求の範囲】
【請求項１】
回路基板を収納し、内面が回路基板の接地端子と電気的に接続され、外面に絶縁層が形成された金属ケースと、導電性を有した外装部材とを備え、前記絶縁層を剥離して前記外面が露呈された露呈面に導電性両面テープの一部が接着するように、前記導電性両面テープを前記金属ケースに貼り付け、前記導電性両面テープの上から前記外装部材を貼り付けて前記露呈面と前記外装部材とを導通させた電気機器において、
前記導電性両面テープは、前記露呈面と対面する部分が前記露呈面に沿うように撓んで、前記露呈面との接着面積が大きくなるように切込みが形成されていることを特徴とする電子機器。
【請求項２】
前記切込みの方向および数は、前記露呈面の外形に応じて形成されることを特徴とする請求項１記載の電子機器。
【請求項３】
前記露呈面の外形が略円形状の場合、前記導電性両面テープは前記露呈面の略中心から放射状に複数本の切込みが形成されていることを特徴とする請求項１または２記載の電子機器。
【請求項４】
前記放射状に形成された切込みの長さをＬ１（ｍｍ）、前記略中心から前記露呈面の最も長い端部までの長さをＤ（ｍｍ）としたときに、
Ｄ＜Ｌ１≦Ｄ＋３ｍｍ、
を満たすことを特徴とする請求項３記載の電子機器。
【請求項５】
前記放射状に形成された隣り合う切込みの先端の直線距離が２ｍｍ以上離れていることを特徴とする請求項３または４記載の電子機器。
【請求項６】
前記露呈面の外形が四角形状の場合、前記導電性両面テープは前記露呈面の一方向に設けられた２辺を前記一方向と直交する他方向で２分割する切込みと、前記他方向に設けられた２辺を前記一方向で複数に分割する切込みとが形成されていることを特徴とする請求項１または２記載の電子機器。
【請求項７】
前記他方向で２分割する切込みの長さをＬ２（ｍｍ）、前記一方向で複数に分割する切込みの長さをＬ３（ｍｍ）、前記長辺の長さをＨ（ｍｍ）、短辺の長さをＷ（ｍｍ）としたときに、
Ｈ＜Ｌ２≦Ｈ＋５ｍｍ、
Ｗ＜Ｌ３≦Ｗ＋５ｍｍ、
を満たすことを特徴とする請求項６記載の電子機器。
【請求項８】
前記他方向に設けられた２辺を前記一方向で３つ以上に分割する場合、隣り合う切込みの間隔は２ｍｍ以上、５ｍｍ以下であることを特徴とする請求項６または７記載の電子機器。
【請求項９】
前記露呈面の外形が四角形状の場合、前記導電性両面テープは前記露呈面の対角線上に前記切込みが形成されていることを特徴とする請求項１または２記載の電子機器。
【請求項１０】
前記対角線上に形成された切込みの長さをＬ４（ｍｍ）、前記対角線の長さをＳ（ｍｍ）としたときに、
Ｓ＜Ｌ４≦Ｓ＋５ｍｍ、
を満たすことを特徴とする請求項９記載の電子機器。
【発明の詳細な説明】
【技術分野】
【０００１】
接地端子を有する回路基板が収納された金属ケースの外面に導電性を有する外装部材が貼り付けられた電子機器に関するものである。
【背景技術】
【０００２】
近年、小型化が進んでいるデジタルカメラは、強度を保つためにアルミニウム（以下、アルミ）などで形成された金属ケースが採用されている。この金属ケースの内面および外面にはアルマイト処理が施されており、内面に設けられたアルマイト層により金属ケースに収納された回路基板の電子部品や配線パターンが金属ケースと短絡することを防止している。また、デジタルカメラの外観のデザイン性を向上させるため、金属ケースの外面にメッキ処理された樹脂部材や金属で形成された導電性を有する外装部材が貼り付けられている。
【０００３】
ところが、金属ケースに貼り付けられた外装部材は電気を通すので、静電気の帯電（放電）が起こったり、外装部材がアンテナとして機能することで周囲からノイズを拾い易くなる。このノイズにより発生した電流が金属ケース内の電子部品に悪影響を与えるため、金属ケースの絶縁層の一部を剥離して外面を露呈させた露呈面に導電性両面テープを貼り付けて導通を得るとともに、この導電性両面テープで外装部材と金属ケースとを固定している。これにより、外装部材は金属ケースを介して回路基板に設けられた接地（ＧＮＤ）端子と電気的に接続され、外装部材の電位を接地電位に降下させた状態にすることが行われている。
【０００４】
また、特許文献１〜３では、回路基板と金属ケースとの間に板バネや捩りバネなどの付勢部材を設け、回路基板に設けられた接地端子と金属ケースとを付勢部材で電気的に接続している。また、特許文献４では、プラスチックで形成された筐体に蓄積された静電気が液晶パネル上で放電を起こさないようにアルミで形成された外装部材に液晶パネルを導電性両面テープで貼り付けている。
【特許文献１】特開２００２−７２３１７号公報
【特許文献２】特開２００３−３１５８８８号公報
【特許文献３】特開２００４−３７６６２号公報
【特許文献４】特開２００２−１５２６３０号公報
【発明の開示】
【発明が解決しようとする課題】
【０００５】
しかしながら、露呈面に導電性両面テープを貼り付ける際、絶縁層と露呈面との段差や、絶縁層を剥離した際に露呈面の表面に形成された凹凸によって露呈面で導電性両面テープの一部が浮いてしまい、導電性両面テープの接着面積が小さくなる。よって、外装部材と金属ケースとの導電性が低下するという問題がある。また、特許文献１〜３に記載の付勢部材を用いて外装部材と露呈面とを電気的に接続する場合は、付勢部材の他に外装部材を金属ケースに固定させるためのビスや両面テープが必要となり部品コストの増加、組立て工数が増加するという問題がある。また、特許文献４では、絶縁層を剥離する必要の無いもの同士を導電性両面テープで貼り付けている。
【０００６】
本発明は、上記課題を解決するためになされたものであり、導電性を有する外装部材を金属ケースに貼り付けるとともに、外装部材と金属ケースとの導電性を向上させることができる電気機器を提供することを目的とする。
【課題を解決するための手段】
【０００７】
上記目的を達成するために、回路基板を収納し、内面が回路基板の接地端子と電気的に接続され、外面に絶縁層が形成された金属ケースと、導電性を有した外装部材とを備え、前記絶縁層を剥離して前記外面が露呈された露呈面に導電性両面テープの一部が接着するように、前記導電性両面テープを前記金属ケースに貼り付け、前記導電性両面テープの上から前記外装部材を貼り付けて前記露呈面と前記外装部材とを導通させた電気機器において、前記導電性両面テープは、前記露呈面と対面する部分が前記露呈面に沿うように撓んで、前記露呈面との接着面積が大きくなるように切込みが形成されていることを特徴とするものである。
【０００８】
また、前記切込みの方向および数は、前記露呈面の外形に応じて形成されることが好ましい。
【０００９】
また、前記露呈面の外形が略円形状の場合、前記導電性両面テープは前記露呈面の略中心から放射状に複数本の切込みが形成されていることが好ましい。
【００１０】
また、前記放射状に形成された切込みの長さをＬ１（ｍｍ）、前記略中心から前記露呈面の最も長い端部までの長さをＤ（ｍｍ）としたときに、Ｄ＜Ｌ１≦Ｄ＋３ｍｍを満たすことが好ましい。
【００１１】
また、前記放射状に形成された隣り合う切込みの先端の直線距離が２ｍｍ以上離れていることが好ましい。
【００１２】
また、前記露呈面の外形が四角形状の場合、前記導電性両面テープは前記露呈面の一方向に設けられた２辺を前記一方向と直交する他方向で２分割する切込みと、前記他方向に設けられた２辺を前記一方向で複数に分割する切込みとが形成されていることが好ましい。
【００１３】
また、前記他方向で２分割する切込みの長さをＬ２（ｍｍ）、前記一方向で複数に分割する切込みの長さをＬ３（ｍｍ）、前記長辺の長さをＨ（ｍｍ）、短辺の長さをＷ（ｍｍ）としたときに、Ｈ＜Ｌ２≦Ｈ＋５ｍｍ、Ｗ＜Ｌ３≦Ｗ＋５ｍｍを満たすことが好ましい。
【００１４】
また、前記他方向に設けられた２辺を前記一方向で３つ以上に分割する場合、隣り合う切込みの間隔は２ｍｍ以上、５ｍｍ以下であることが好ましい。
【００１５】
また、前記露呈面の外形が四角形状の場合、前記導電性両面テープは前記露呈面の対角線上に前記切込みが形成されていることが好ましい。
【００１６】
また、前記対角線上に形成された切込みの長さをＬ４（ｍｍ）、前記対角線の長さをＳ（ｍｍ）としたときに、Ｓ＜Ｌ４≦Ｓ＋５ｍｍを満たすことが好ましい。
【発明の効果】
【００１７】
外装部材と露呈面とを導通させるとともに、外装部材と金属ケースとを貼り付ける導電性両面テープには、露呈面と対面する部分が露呈面に沿うように撓んで、露呈面との接着面積が大きくなるように切込みが形成されているので、外装部材と金属ケースとの導電性を向上させることができる。
【００１８】
また、切込みの方向および数は露呈面の外形に応じて形成するので、導電性両面テープの接着面積を大きくすることができ、外装部材と金属ケースとの導電性が向上する。従って、露呈面の外形が略円形状の場合や四角形状の場合でも、導電性両面テープの接着面積を確実に大きくできる。
【００１９】
また、切込み長さは、露呈面の外形に応じて決められているので、露呈面に導電性両面テープを貼り付ける際に破れることを防止できる。
【００２０】
また、隣り合う切込みまでの距離が決められているので、隣り合う切込みが近くなりすぎることがない。よって、導電性両面テープに切込みを形成する加工性が向上した。さらに、導電性両面テープを貼り付けるときに破れ難くい。
【発明を実施するための最良の形態】
【００２１】
図１に示すように、電子機器であるデジタルカメラ２は、アルミ製の前ケース５および後ケース６からなる本体ケース７と、ステンレス鋼で形成された横カバー９とから構成されている。
【００２２】
金属ケースである前および後ケース５、６は略コの字形状をしており、互いに開口を対面させて組み合わせることで薄型の直方体形状の本体ケース７となる。前ケース５および後ケース６は、アルマイト処理によって外面および内面に絶縁層であるアルマイト層が形成されている。このように、アルマイト処理を行うことで本体ケース７に防錆機能および絶縁機能を持たせることができるとともに、着色を行うこともできる。
【００２３】
また、本体ケース７内には、各種電子部品が実装された回路基板や撮影レンズ１６を把持したレンズ鏡筒、ストロボ装置などが組み込まれている。本体ケース７の内部は、アルマイト層によって電子部品や配線パターンなどと短絡することが防止されている。また、詳しくは後述するが、回路基板４０に設けられた接地端子４１と本体ケース７とはフレキシブル配線４５によって電気的に接続されている。これにより、本体ケース７の電位は接地電位となっている。
【００２４】
前ケース５には、図１に示す開き位置と閉じ位置の間でスライド自在のレンズカバー１５が設けられており、レンズカバー１５を閉じ位置から開き位置にすることで、撮影レンズ１６を露呈させる。さらに、レンズカバー１５にはストロボ開口１７が設けられており、開き位置でストロボ開口１７からストロボ発光部１８が露呈される。
【００２５】
本体ケース７の上面には二段階押しのレリーズスイッチ２０が設けられている。レリーズスイッチ２０を半押しすると、自動露出調整（ＡＥ）、自動焦点調整（ＡＦ）などの撮影準備処理が行われ、半押しからさらにもう一段下方に押下すると撮影準備処理した１画面分の画像データがメモリカードなどの記録媒体に記録される。また、本体ケース７の背面には、図示しない液晶パネルおよび各種操作ボタンが設けられている。
【００２６】
外装部材である横カバー９はステンレス鋼で形成されており、表面仕上げによって光沢を有している。横カバー９は、本体ケース７の左右側面に設けられた凹部３０に嵌め込まれ、導電性両面テープ３１で本体ケース７に貼り付けられる。これにより、デジタルカメラ２の外観のデザイン性を高めている。
【００２７】
凹部３０には、本体ケース７を介して回路基板４０に設けられた接地端子４１（図４参照）と横カバー９とを導通させるための露呈面３２が形成されている。図２に示すように、露呈面３２はレーザーによって凹部３０のアルマイト層３３の一部を剥離してアルミを露呈させた面である。これにより、アルマイト層３３と露呈面３２とは０，１ｍｍ程度の段差が形成される。さらに、剥離処理によって露呈面３２の表面には凹凸が形成される。また、露呈面３２の外形としては、図３の点線で示すように、円形状もしくは長方形状となるようにアルマイト層３３を剥離することが好ましい。
【００２８】
横カバー９は凹部３０に導通性両面テープ３２によって貼り付けられる。導通性両面テープ３２は、導電性ファイバーを基材とした両面テープであって、厚み方向および面方向に導電性を有している。導通性両面テープ３２は、露呈面３２に対して接着面積を多くするために露呈面３２に対面する部分に切込みが形成されている。この切込みの長さ及び切込み方向は、露呈面３２の外形に応じて形成されることが好ましい。
【００２９】
例えば、図１に示すように凹部３０に円形状の露呈面３２が形成された場合は、導通性両面テープ３２には、図３（イ）に示すように露呈面３２の中心Ｃから放射状となるように切込み３５を形成する。露呈面３２の半径の長さをＤ（ｍｍ）とすると、切込み３５の長さＬ１（ｍｍ）は、Ｄ＜Ｌ１≦Ｄ＋３（ｍｍ）である。また、隣り合う切込み３５の先端の直線距離Ｍ（ｍｍ）は、Ｍ≧２（ｍｍ）であることが好ましい。そして、切込み３５は２本以上形成することが好ましい。このように、導電性両面テープ３１に切込み３５を形成したので、露呈面３２と対面する部分を露呈面３２に沿って貼り付けることができる。
【００３０】
また、図３（ロ）に点線で示すように露呈面３２の外形が長方形状の場合は、露呈面３２の長手方向（一方向）および短手方向（他方向）に平行な切込みを形成することが好ましい。これにより、長手方向で露呈面３２の短辺３１ａを２等分する縦切込み３６は、長辺３１ｂを左右対称に分割するように１本形成する。このとき、縦切込み３６は短辺３１ａの中心上を通るように形成することが好ましい。また、短手方向で露呈面３２の長辺３１ｂを複数に分割する横切込み３７は、短辺３１ａを上下対象に分割する位置に１本形成し、さらにその上下に等間隔で１本ずつ形成して、計３本の横切込み３７を形成する。露呈面３２の長辺３１ｂの長さをＨ（ｍｍ）、短辺３１ａの長さをＷ（ｍｍ）とすると、縦切込み３６の長さＬ２（ｍｍ）は、Ｈ＜Ｌ２≦Ｈ＋５ｍｍであり、横切込み３７の長さＬ３（ｍｍ）は、Ｗ＜Ｌ３≦Ｗ＋５ｍｍである。また、隣合う横切込み３７の間隔Ｒ（ｍｍ）は、２（ｍｍ）≦Ｒ≦５（ｍｍ）とすることが好ましい。このように、縦切込み３６及び横切込み３７が形成されることで、露呈面３２に対面する部分を露呈面３２に沿って貼り付けることができる。なお、上記の条件を満たしていれば横切込み３７の本数は適宜に設定することが好ましい。
【００３１】
また、露呈面３２の外形が四角形状の場合、縦切込み３６および横切込み３７に替えて、図３（ハ）に示すように露呈面３２の対角線上に切込み３８を形成してもよい。そして、露呈面３２の対角線の長さをＳ（ｍｍ）とすると切込み３８の長さＬ４（ｍｍ）は、Ｓ＜Ｌ４≦Ｓ＋５ｍｍである。このように、露呈面３２の対角線上に２本の切込み３８を形成したので、露呈面３２に対面する部分を露呈面３２沿って貼り付けることができる。なお、縦切込み３６又は横切込み３７のどちらか一方と、対角線上の切込み３８の一本とを組み合わせてもよい。
【００３２】
また、本実施形態で凹部３０に形成される露呈面３２の寸法としては、例えば露呈面３２の外径が円形状の場合、直径が５ｍｍ〜１０ｍｍの間で形成される。また、露呈部３２の外形が四角形状の場合、１辺の長さが２ｍｍ〜１０ｍｍの間で形成される。また、導電性両面テープは、厚みが７６μｍのものが用いられる。
【００３３】
横カバー９を凹部３０に貼り付ける際には、切込み３５を形成した部分（図１の点線で示す部分）が露呈面３２に対面するように導電性両面テープ３１の位置合わせを行い、導電性両面テープ３１を露呈面３２に沿わせながら貼り付ける。これにより、図２に示すようにアルマイト層３３と露呈面３２との段差部分で導電性両面テープ３１が浮き上がることがなく、凹凸を有した露呈面３２に沿って導電性両面テープ３１が貼り付けられるので、導電性両面テープ３１と露呈面３２との接着面積が大きくなる。さらに、露呈面３２の外形に応じて切込み３５の長さＬ１（ｍｍ）が設定されているので、導通性両面テープ３２を露呈面３２に貼り付ける際に、導通性両面テープ３２が破れ難くなっている。そして、露呈面３２に導電性両面テープ３１を貼り付けた後は、露呈面３２の周囲のアルマイト層３３に導電性両面テープ３１を貼り付ける。このとき、皺が発生しないように貼り付ける。
【００３４】
露呈面３１は、前ケース５と後ケース６とに跨って形成されている。そのため、露呈面３２に導電性両面テープ３１が貼り付けられると、前ケース５および後ケース６は導通する。なお、凹部３０には、導電性両面テープ３１の貼り付け位置を示す印を付しておくことが好ましい。
【００３５】
そして、導電性両面テープ３１が貼り付けられた凹部３０に横カバー９を嵌め込むと、アルマイト層３３の上に貼り付けられた導電性両面テープ３１によって横カバー９が本体ケース７に固定される。これにより、本体ケース７と横カバー９は導電性両面テープ３１を介して導通される。従って、横カバー９は本体ケース７と電気的に接続されている接地端子３１と導通状態になり、横カバー９の電位は接地端子の電位、即ち接地電位となる。このように、露呈面３２の外形に応じて導電性両面テープ３１に切込み３５を形成したので、露呈面３２に沿って導電性両面テープ３１を貼り付けることができる。従って、露呈面３２との接着面積が大きくなり、本体ケース７と横カバー９との導電性が向上した。
【００３６】
また、本体ケース７と接地端子４１との電気的な接続は、例えば図４に示すようにフレキシブル配線４５によって行われている。回路基板４０に設けられた接地端子４１にはコネクタ４２が設けられており、フレキシブル配線４５の一端に設けられたコネクタ４６と接続される。また、フレキシブル配線４５の他端は電極が露呈している（図示せず）。
【００３７】
前ケース５の内側には、アルマイト層３３の一部をレーザーで剥離した露呈面３２が形成されている。この露呈面３２の外形は円形状をしているので、図３（イ）に示す切込み３５が形成された導電性両面テープ３１を用いる。
【００３８】
横カバー９を凹部３０に貼り付けた場合と同じように、露呈面３２に切込み３５が対面するように導電性両面テープ３１の位置合わせを行い、導電性両面テープ３１を露呈面３２に沿わせて貼り付ける。その後露呈面３２の周囲のアルマイト層３３に導電性両面テープ３１を貼り付ける。そして、導電性両面テープ３１の上からフレキシブル配線４５の他端を貼り付ける。このとき、フレキシブル配線４５の他端で導電性両面テープ３１が隠れることが好ましい。上記のように、前ケース５と接地端子４１とは導電性両面テープ３１を介して導通されているので、前ケース５の電位は接地電位となる。
【００３９】
前ケース５と接地端子４１とを電気的に接続した後は、接地端子４１と前ケース５の内面とが対面するように回路基板４０の姿勢を変えてから、後ケース６を前ケース５に組み合わせる。これにより、回路基板４０は本体ケース７に収納される。上記のように、導電性両面テープ３１を用いて前ケース５と接地端子４１とを電気的に接続したので、組立作業が容易である。
【００４０】
なお、本実施形態では、露呈面３２の外形が円形状の場合を説明したが、露呈面３２の外形が楕円形状でも良い。この場合も露呈面３２の略中心から放射状に切込みを形成するが、略中心から最も離れた露呈面３２の端部までの距離をＤ１（ｍｍ）とすると、切込みの長さＬ５（ｍｍ）は、Ｄ１＜Ｌ５≦Ｄ１＋５ｍｍであることが好ましい。また、図３では、露呈面３２の形状が長方形状の場合を説明したが正方形状でもよい。
【００４１】
なお、本実施形態では本体ケース７をアルミで形成し、その表面にアルマイト層３３を設けたが、本体ケース７をステンレス鋼、チタン、マグネシウムなどの金属で成形し、その表面に絶縁性を有する塗料を塗布して絶縁層を設けたものを用いてもよい。
【００４２】
また、ステンレス鋼で形成された横カバー９を用いたが、これに替えて、プラスチックなどの樹脂部材の表面にメッキ処理を施し、樹脂部材の表面に導電層を形成したものを用いてもよい。これにより、デジタルカメラ２のデザイン性が向上するとともに、デジタルカメラ２を軽量化できる。
【００４３】
また、本発明は、電子機器であるデジタルカメラに用いているが、これに限らず、携帯電話機、ＰＤＡ、デジタルビデオカメラなどの電子機器に用いてもよい。
【図面の簡単な説明】
【００４４】
【図１】本発明を採用したデジタルカメラの構成を示す斜視図である。
【図２】露呈面と導電性両面テープの貼り付け状態を示す断面図である。
【図３】導電性両面テープに形成される切込みの形状と寸法を示す説明図である。
【図４】接地端子と前ケースとを電気的に接続する構成を示す斜視図である。
【符号の説明】
【００４５】
２  デジタルカメラ
５  前ケース
６  後ケース
７  本体ケース
９  横カバー
３１  導電性両面テープ
３２  露呈面
３３  アルマイト層
３５  切込み
３６  縦切込み
３７  横切込み
４０  回路基板
４１  接地端子
【図１】
2008134349.tif 000003
【図２】
2008134349.tif 000004
【図３】
2008134349.tif 000005
【図４】
2008134349.tif 000006